【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
少なくとも所定の処理に関連付けられた第１のコードである特定情報と第２のコードである画像情報がそれぞれ格納され、媒体に形成される複合コードであって、
少なくとも前記画像情報は、（１）複合コード生成装置に搭載または接続された第１の画像入力手段により撮影された画像；（２）該複合コード生成装置に予め格納された画像；および（３）該撮影された画像または該予め格納された画像から所定の方法で取得した情報；の少なくともいずれかが符号化されている、複合コード。
【請求項２】
前記媒体は、ディスプレイ、紙媒体、および薄板状の媒体の少なくともいずれかである、請求項１に記載の複合コード。
【請求項３】
前記画像情報は生体情報である、請求項１または請求項２に記載の複合コード。
【請求項４】
前記画像情報は、少なくとも前記複合コード生成装置のユーザーである本人の生体情報である請求項１または請求項２に記載の複合コード。
【請求項５】
前記本人の生体情報は、前記複合コード生成装置に搭載された前記第１の画像入力手段により前記本人が撮影した画像または該画像から所定の方法で取得した情報の少なくともいずれかである、請求項４に記載の複合コード。
【請求項６】
前記生体情報は、顔画像、虹彩画像、指紋画像、静脈画像またはそれらの画像から所定の方法で取得した情報の少なくともいずれかを含む、請求項３〜５のいずれかに記載の複合コード。
【請求項７】
前記媒体が請求項２に記載のディスプレイである場合、少なくとも前記第２のコードが時系列で変化して形成される、請求項１〜６のいずれかに記載の複合コード。
【請求項８】
前記第１のコードと第２のコードは異なる所定の規則によって形成される、請求項１〜７のいずれかに記載の複合コード。
【請求項９】
前記所定の規則は、少なくとも前記第１のコードと前記第２のコードを構成する数値情報のそれぞれが定義される複数の部分領域を有し、
前記それぞれの複数の部分領域が混在して形成される、請求項８に記載の複合コード。
【請求項１０】
前記第１のコードは、複数のセルが配列形状に配置され、該複数のセルのそれぞれのセルが所定領域を有し、該所定領域に互いに識別可能な２以上の色のいずれかを有することによりデータが定義され、
前記第２のコードは、前記複数のセルの少なくとも一部に前記所定領域を除く領域を有する特定セルを形成し、該所定領域を除く領域の所定の位置に配置される識別可能なマークによりデータが定義され、
前記特定セルは、前記２以上の色のいずれの色のセルにも形成される、請求項８または請求項９に記載の複合コード。
【請求項１１】
少なくとも前記所定領域は、暗色または明色で形成され、
前記所定領域を除く領域には、暗色または明色の前記マークが配置される、請求項１０に記載の複合コード。
【請求項１２】
前記所定領域は、前記複数のセルを分割した内の1以上の分割領域であり、
前記所定領域を除く領域の所定の位置に配置される識別可能なマークは、前記複数のセルを分割した内の前記1以上の分割領域を除く分割領域の少なくとも１以上の分割領域のそれぞれ全域に重畳して形成される、請求項１１または請求項１２に記載の複合コード。
【請求項１３】
前記第１のコードは、QRコード、バーコード、カラーコード、Data Matrix、PDF417または文字列である、
請求項１〜１２のいずれかに記載の複合コード。
【請求項１４】
請求項１〜１３のいずれかに記載の複合コードを生成する、複合コード生成装置。
【請求項１５】
所定の条件で請求項３に記載の生体情報の更新を促す、請求項１４に記載の複合コード生成装置。
【請求項１６】
前記所定の条件は、前記生体情報と、対応する現在の生体情報との間で所定の差異が生じることである、請求項１５に記載の複合コード生成装置。
【請求項１７】
前記生体情報が顔画像である場合、搭載または接続された第１の画像入力手段により任意に撮影された画像から自動的に認識した本人の顔画像を前記対応する現在の生体情報とし、前記差異を判定する、
請求項１６に記載の複合コード生成装置。
【請求項１８】
前記複合コード生成装置は第１の画像入力手段が接続されたサーバーである、請求項１４〜１７のいずれかに記載の複合コード生成装置。
【請求項１９】
前記複合コード生成装置は携帯型情報処理装置である、
請求項１４〜１７のいずれかに記載の複合コード生成装置。
【請求項２０】
請求項１〜１３のいずれかに記載の複合コードが、搭載または接続された第２の画像入力手段により撮影され、少なくとも前記画像情報が復号される、複合コード読取り装置。
【請求項２１】
本人が、自身の顔画像が符号化された前記複合コードを前記第２の画像入力手段により撮影させて該自身の顔画像を復号させ、
前記複合コード読み取り装置に搭載または接続されたディスプレイに前記自身の顔画像を表示させて、
前記ディスプレイに表示された前記自身の顔画像と前記本人の顔とを、第三者の目視で見比べることによる本人認証を支援する、請求項２０に記載の複合コード読取り装置。
【請求項２２】
前記複合コード読取り装置は第２の画像入力手段が接続されたサーバーである、請求項２０または請求項２１に記載の複合コード読取り装置。
【請求項２３】
前記複合コード読取り装置は第２の携帯型情報処理装置である、請求項２０または請求項２１に記載の複合コード読取り装置。
【請求項２４】
本人が、前記媒体に形成された請求項１〜１３のいずれかに記載の複合コードを請求項２０〜２３のいずれかに記載の第２の画像入力手段により撮影させ復号された少なくとも請求項３記載の生体情報と、
搭載または接続された第３の画像入力手段により撮影された前記本人の画像または該画像から所定の方法で取得した情報との対応関係を認識して本人認証が実施される、生体認証装置。
【請求項２５】
前記特定情報に対応する処理と合わせて所定の認証が実施される、請求項２４に記載の生体認証装置。
【請求項２６】
請求項２０〜２３のいずれかに記載の複合コード読取り装置と一体として組み込まれる、請求項２４または請求項２５に記載の生体認証装置。
【請求項２７】
前記第２の画像入力手段と前記第３の画像入力手段は同一のものである、請求項２４〜２６のいずれかに記載の生体認証装置。
【請求項２８】
前記生体認証装置は第３の画像入力手段が接続されたサーバーである、請求項２４〜２７のいずれかに記載の生体認証装置。
【請求項２９】
前記生体認証装置は第３の携帯型情報処理装置である、請求項２４〜２７のいずれかに記載の生体認証装置。
【請求項３０】
請求項１４〜１９のいずれかに記載の複合コード生成装置と、
請求項２０〜２３のいずれかに記載の複合コード読取り装置と、
請求項２４〜２９のいずれかに記載の生体認証装置と、
を備え、
前記複合コード読取り装置と前記生体認証装置は接続され、
本人が、前記複合コードを前記複合コード読取り装置に搭載または接続された第２の画像入力手段により撮影させ、復号された少なくとも前記生体情報を前記生体認証装置に送信し、
前記生体認証装置が前記複合コード読取り装置から受信した前記生体情報と、該生体認証装置に搭載または接続された第３の画像入力手段により撮影された前記本人の画像または該画像から所定の方法で取得した情報との対応関係を認識して本人認証が実施される、生体認証システム。
【請求項３１】
前記特定情報に対応する処理と合わせて所定の認証が実施される、請求項３０に記載の生体認証システム。
【請求項３２】
少なくとも所定の処理に関連付けられた第１のコードである特定情報を符号化することと、
第２のコードである画像情報を符号化することと、
を備える、請求項１〜１３のいずれかに記載の複合コードを生成する複合コード生成方法であって、
請求項１４〜１９のいずれかに記載の複合コード生成装置により、（１）該複合コード生成装置に搭載または接続された第１の画像入力手段により撮影された画像；（２）該複合コード生成装置に予め格納された画像；および（３）該撮影された画像または該予め格納された画像から所定の方法で取得した情報；の少なくともいずれかを前記画像情報として符号化することによって前記複合コードが生成される、複合コード生成方法。
【請求項３３】
前記複合コード生成装置により、所定の条件で請求項３に記載の生体情報の更新を促すこと、
をさらに備える、請求項３２に記載の複合コード生成方法。
【請求項３４】
前記所定の条件は、前記生体情報と、対応する現在の生体情報との間で所定の差異が生じることである、請求項３３に記載の複合コード生成方法。
【請求項３５】
前記生体情報が顔画像である場合、搭載または接続された第１の画像入力手段により任意に撮影された画像から自動的に認識した本人の顔画像を前記対応する現在の生体情報とし、前記差異を判定すること、
をさらに備える、請求項３４に記載の複合コード生成方法。
【請求項３６】
請求項２０〜２３のいずれかに記載の複合コード読取り装置に搭載または接続された第２の画像入力手段により、前記媒体に形成された複合コードを撮影することと、
前記複合コード読取り装置が、少なくとも前記画像情報を復号することと、
を備える、複合コード読取り方法。
【請求項３７】
請求項１４〜１９のいずれかに記載の複合コード生成装置で前記複合コードを符号化することと、
前記複合コードを請求項２０〜２３のいずれかに記載の複合コード読取り装置に搭載または接続された第２の画像入力手段により撮影し、少なくとも前記画像情報を復号して認証する、認証方法。
【請求項３８】
本人が、自身の顔画像が符号化された前記複合コードを前記第２の画像入力手段により撮影させて該自身の顔画像を復号させ、
前記複合コード読取り装置に搭載または接続されたディスプレイに前記自身の顔画像を表示させることと、
前記ディスプレイに表示された前記自身の顔画像と前記本人の顔とを、第三者の目視で見比べることによる本人認証を支援すること
をさらに備える、請求項３７に記載の認証方法。
【請求項３９】
請求項１４〜１９のいずれかに記載の複合コード生成装置で前記複合コードを符号化することと、
本人が、自身の生体情報が符号化された前記媒体に形成された複合コードを請求項２０〜２３のいずれかに記載の複合コード読取り装置に搭載または接続された第２の画像入力手段により撮影させ、該複合コード読取り装置で復号された少なくとも前記生体情報を請求項２４〜２９のいずれかに記載の生体認証装置に送信することと、
前記生体認証装置が前記複合コード読取り装置から受信した前記生体情報と、該生体認証装置に搭載または接続された第３の画像入力手段により撮影された前記本人の画像または該画像から所定の方法で取得した情報との対応関係を認識して本人認証を実施すること
を備える、認証方法。
【請求項４０】
前記特定情報に対応する処理と合わせて所定の認証を実施すること
をさらに備える、請求項３７〜３９のいずれかに記載の認証方法。
【請求項４１】
少なくとも所定の処理に関連付けられた第１のコードである特定情報を符号化することと、
第２のコードである画像情報を符号化することと、
を備える、請求項１〜１３のいずれかに記載の複合コードを生成するプログラムであって、
請求項１４〜１９のいずれかに記載の複合コード生成装置により、（１）該複合コード生成装置に搭載または接続された第１の画像入力手段により撮影された画像；（２）該複合コード生成装置に予め格納された画像；および（３）該撮影された画像または該予め格納された画像から所定の方法で取得した情報；の少なくともいずれかを画像情報として符号化することによって複合コードを生成させる、プログラム。
【請求項４２】
前記複合コードを前記複合コード生成装置に搭載または接続されたディスプレイに表示すること、
をさらに実行させる、請求項４１に記載のプログラム。
【請求項４３】
前記複合コード生成装置により、所定の条件で請求項３に記載の生体情報の更新を促すこと、
をさらに実行させる、請求項４１または請求項４２に記載のプログラム。
【請求項４４】
前記所定の条件は、前記生体情報と、対応する現在の生体情報との間で所定の差異が生じることである、請求項４３に記載のプログラム。
【請求項４５】
前記生体情報が顔画像である場合、搭載または接続された第１の画像入力手段により任意に撮影された画像から自動的に認識した本人の顔画像を前記対応する現在の生体情報とし、前記差異を判定すること、
をさらに実行させる、請求項４４に記載のプログラム。
【請求項４６】
請求項２０〜２３のいずれかに記載の複合コード読取り装置に前記複合コードを読み取らせるためのプログラムであって、
前記複合コード読取り装置に搭載または接続された第２の画像入力手段により前記媒体に形成された前記複合コードを撮影することと、
前記撮影された複合コードから、少なくとも前記画像情報を復号することと、
を実行させる、プログラム。
【請求項４７】
本人が、自身の顔画像が符号化された前記複合コードを前記第２の画像入力手段に撮影させて該自身の顔画像を復号させ、
前記複合コード読取り装置に搭載または接続されたディスプレイに前記自身の顔画像を表示させ、
前記ディスプレイに表示された前記自身の顔画像と前記本人の顔とを、第三者の目視で見比べることによる本人認証を支援すること、
をさらに実行させる、請求項４６に記載のプログラム。
【請求項４８】
請求項２４〜２９のいずれかに記載の生体認証装置に前記複合コードを認証させるプログラムであって、
本人が、前記媒体に形成された複合コードを請求項２０〜２３のいずれかに記載の複合コード読取り装置に搭載または接続された第２の画像入力手段により撮影させ、該複合コード読取り装置で復号された少なくとも請求項３に記載の生体情報を受信することと、
前記生体認証装置に搭載または接続された第３の画像入力手段により前記本人を撮影することと、
撮影された前記本人の画像または該画像から所定の方法で取得した情報と前記生体情報の対応関係を認識して本人認証をすること、
を実行させる、プログラム。
【請求項４９】
前記特定情報に対応する処理と合わせて所定の認証を実施すること、
をさらに実行させる、請求項４６〜４８のいずれかに記載のプログラム。
【手続補正２】
【補正対象書類名】明細書
【補正対象項目名】発明の名称
【補正方法】変更
【補正の内容】
【発明の名称】複合コード、複合コード生成装置、複合コード読取り装置、生体認証装置、生体認証システム、方法およびプログラム